【手続補正書】
【提出日】平成18年3月15日(2006.3.15)
【手続補正１】
【補正対象書類名】明細書
【補正対象項目名】請求項１
【補正方法】変更
【補正の内容】
【請求項１】  複数の補正対象画像の色調を統一させる画像処理装置であって、
複数の画像の中から、補正対象となる複数の前記補正対象画像を選択する画像選択手段と、
前記補正対象画像毎に、当該補正対象画像の基準色を設定し、前記補正対象画像毎に設定した前記基準色が合致するように、前記補正対象画像の色調を補正する画像補正手段と、
を備えていることを特徴とする画像処理装置。
【手続補正２】
【補正対象書類名】明細書
【補正対象項目名】請求項２
【補正方法】変更
【補正の内容】
【請求項２】  前記画像補正手段が実行する補正処理の１個又は複数個の補正処理条件を、入力装置を介してユーザに選択させる処理条件選択手段を備えていることを特徴とする請求項１に記載の画像処理装置。
【手続補正３】
【補正対象書類名】明細書
【補正対象項目名】請求項１３
【補正方法】変更
【補正の内容】
【請求項１３】  複数の補正対象画像の色調を統一させる画像処理方法であって、下記の工程を備えていることを特徴とする画像処理方法。
（ａ）複数の画像の中から、補正対象となる複数の前記補正対象画像を選択する画像選択工程と、
（ｂ）前記補正対象画像毎に、当該補正対象画像の基準色を設定し、前記補正対象画像毎に設定した前記基準色が合致するように、前記補正対象画像の色調を補正する画像補正工程。
【手続補正４】
【補正対象書類名】明細書
【補正対象項目名】請求項１４
【補正方法】変更
【補正の内容】
【請求項１４】  （ｃ）前記画像補正工程（ｂ）が実行する補正処理の１個又は複数個の補正処理条件を、入力装置を介してユーザに選択させる処理条件選択工程を備えていることを特徴とする請求項１３に記載の画像処理方法。
【手続補正５】
【補正対象書類名】明細書
【補正対象項目名】請求項１５
【補正方法】変更
【補正の内容】
【請求項１５】  複数の補正対象画像の色調を統一させる画像処理をコンピュータに実行させるプログラムであって、下記の画像処理方法の各工程をコンピュータに実行させるプログラム。
（ａ）複数の画像の中から、補正対象となる複数の前記補正対象画像を選択する画像選択工程と、
（ｂ）前記補正対象画像毎に、当該補正対象画像の基準色を設定し、前記補正対象画像毎に設定した前記基準色が合致するように、前記補正対象画像の色調を補正する画像補正工程。
【手続補正６】
【補正対象書類名】明細書
【補正対象項目名】請求項１６
【補正方法】変更
【補正の内容】
【請求項１６】  （ｃ）前記画像補正工程（ｂ）が実行する補正処理の１個又は複数個の補正処理条件を、入力装置を介してユーザに選択させる処理条件選択工程を、コンピュータに実行させる請求項１５に記載のプログラム。
【手続補正７】
【補正対象書類名】明細書
【補正対象項目名】０００８
【補正方法】変更
【補正の内容】
【０００８】
【課題を解決するための手段】
上述した従来の問題点を解決すべく下記の発明を提供する。
［発明１］
発明１は、複数の補正対象画像の色調を統一させる画像処理装置であって、複数の画像の中から、補正対象となる複数の前記補正対象画像を選択する画像選択手段と、前記補正対象画像毎に、当該補正対象画像の基準色を設定し、前記補正対象画像毎に設定した前記基準色が合致するように、前記補正対象画像の色調を補正する画像補正手段と、を備えていることを特徴とする画像処理装置である。
【手続補正８】
【補正対象書類名】明細書
【補正対象項目名】０００９
【補正方法】変更
【補正の内容】
【０００９】
このような構成であれば、ユーザは、画像選択手段によって、複数の画像の中から、同一のページに配置したい複数の画像を補正対象画像として選択すると、画像補正手段によって、選択された複数の補正対象画像が、補正対象画像毎に設定した基準領域の基準色を統一させるような画像に補正される。
これにより、撮影条件等によって色調の異なる複数の画像を、同一のページに配置する場合に、画像の色調の違和感を低減することが可能となる。また、画像毎又は被写体毎に、ユーザに複雑な補正処理の設定操作をさせることなく、容易に画像を補正することが可能となる。更に、ユーザは、画像の色調を統一させる画像を選択するだけで、撮影された条件等によらずに画像補正処理を行なうことができる。従って、専門的な技能や熟練を有したユーザでなくとも、画像補正の操作をすることが可能である。
［発明２］
発明２は、発明１において、前記画像補正手段が実行する補正処理の１個又は複数個の補正処理条件を、入力装置を介してユーザに選択させる処理条件選択手段を備えていることを特徴とする画像処理装置である。
【手続補正９】
【補正対象書類名】明細書
【補正対象項目名】００２１
【補正方法】変更
【補正の内容】
【００２１】
これにより、画像オブジェクト領域毎に、基準色に近い色を代表色とする画像オブジェクト領域の画素の補正量を均一に多くし、基準色との差が大きい色を代表色とする画像オブジェクト領域の画素の補正量を均一に少なくして、基準色から離れた色が代表色の画像オブジェクト領域の画素の補正を避けるとともに、画像オブジェクト領域の画素を均一に補正することが可能となる。
［発明１３］
発明１３は、複数の補正対象画像の色調を統一させる画像処理方法であって、（ａ）複数の画像の中から、補正対象となる複数の前記補正対象画像を選択する画像選択工程と、（ｂ）前記補正対象画像毎に、当該補正対象画像の基準色を設定し、前記補正対象画像毎に設定した前記基準色が合致するように、前記補正対象画像の色調を補正する画像補正工程を備えていることを特徴とする画像処理方法である。
【手続補正１０】
【補正対象書類名】明細書
【補正対象項目名】００２２
【補正方法】変更
【補正の内容】
【００２２】
これにより、撮影条件等によって色調の異なる複数の画像を、同一のページに配置する場合に、画像の色調の違和感を低減することが可能となる。また、画像毎又は被写体毎に、ユーザに複雑な補正処理の設定操作をさせることなく、容易に画像を補正することが可能となる。更に、ユーザは、画像の色調を統一させる画像を選択するだけで、撮影された条件等によらずに画像補正処理を行なうことができる。従って、専門的な技能や熟練を有したユーザでなくとも、画像補正の操作をすることが可能である。
［発明１４］
発明１４は、発明１３において、（ｃ）前記画像補正工程（ｂ）が実行する補正処理の１個又は複数個の補正処理条件を、入力装置を介してユーザに選択させる処理条件選択工程を備えていることを特徴とする画像処理方法である。
【手続補正１１】
【補正対象書類名】明細書
【補正対象項目名】００２３
【補正方法】変更
【補正の内容】
【００２３】
これにより、画像毎又は被写体毎に、ユーザに複雑な補正処理の設定操作をさせることなく、容易に画像を補正することが可能となる。更に、ユーザは、画像の色調を統一させる画像を選択するだけで、撮影された条件等によらずに画像補正処理を行なうことができる。従って、専門的な技能や熟練を有したユーザでなくとも、画像補正の操作をすることが可能である。
［発明１５］
発明１５は、複数の補正対象画像の色調を統一させる画像処理をコンピュータに実行させるプログラムであって、下記の画像処理方法の（ａ）複数の画像の中から、補正対象となる複数の前記補正対象画像を選択する画像選択工程と、（ｂ）前記補正対象画像毎に、当該補正対象画像の基準色を設定し、前記補正対象画像毎に設定した前記基準色が合致するように、前記補正対象画像の色調を補正する画像補正工程をコンピュータに実行させるプログラムである。
【手続補正１２】
【補正対象書類名】明細書
【補正対象項目名】００２４
【補正方法】変更
【補正の内容】
【００２４】
このような構成であれば、コンピュータによってプログラムが読み取られ、読み取られたプログラムによって、コンピュータが処理を実行すると、発明１に記載の画像処理装置と同等の作用が得られる。
これにより、撮影条件等によって色調の異なる複数の画像を、同一のページに配置する場合に、画像の色調の違和感を低減することが可能となる。また、画像毎又は被写体毎に、ユーザに複雑な補正処理の設定操作をさせることなく、容易に画像を補正することが可能となる。更に、ユーザは、画像の色調を統一させる画像を選択するだけで、撮影された条件等によらずに画像補正処理を行なうことができる。従って、専門的な技能や熟練を有したユーザでなくとも、画像補正の操作をすることが可能である。
［発明１６］
発明１６は、発明１５において、（ｃ）前記画像補正工程（ｂ）が実行する補正処理の１個又は複数個の補正処理条件を、入力装置を介してユーザに選択させる処理条件選択工程を、コンピュータに実行させるプログラムである。